(57)【特許請求の範囲】
【請求項１】
原子炉容器(1) の上蓋取付け用座(2) に周縁が支持され、上面が上部足場(3) として閉塞されると共に、その閉塞面の周縁部に炉内機器挿入用の上部開口(4) が設けられた上部架台(5) と、
その上部架台(5) の下面に下方へ突設された支持材(6) を介して吊持され、その上面が中間部足場(7) として閉塞されると共に、前記上部開口(4) 下方の整合する位置に中間部開口(8) が形成される中間部架台(9) と、
前記上部架台(5) に支持材(6a)を介し上部架台(5) の下面側で且つ、前記中間部架台(9) の上方に位置して上部架台(5) の周縁部に配置された環状のガイドレール(10)と、を具備し、
前記ガイドレール(10)に炉内機器(19)の吊り下ろし機(29)が案内される炉心内工事用作業架台。
【請求項２】
請求項１において、
炉内の上部格子板(11)に被嵌され、上面が下部足場(12)として閉塞されると共に、その周縁部に下部開口(13)が形成され、且つ、前記ガイドレール(10)下方の整合する位置には、着脱自在な多数の上げ蓋(14)が被着される下部架台(15)を有する炉心内工事用作業架台。
【請求項３】
請求項２において、
前記上部架台(5) の下面及び／又は中間部架台(9) に前記下部架台(15)及び前記上部格子板(11)を吊り下げる吊り下げピース(21)，(21a) が設けられた炉心内工事用作業架台。
【発明の詳細な説明】
【０００１】
【産業上の利用分野】
本発明は原子力発電所の建設の際に、原子炉内の各種機器や配管等を据付ける時に使用する作業架台に関する。
【０００２】
【従来の技術】
従来、原子炉内機器や配管等の据付工事にはその都度仮設作業架台を使用していた。
【０００３】
【発明が解決しようとする課題】
従来の沸騰水型原子炉においては、炉心冷却用再循環ポンプが使用されていたが、新たな沸騰水型原子炉の炉内機器には炉の底部に沿って多数のリアクタ・インターナルポンプが採用され、そのポンプ頭部のエンペラシャフトの据付のため、それを炉心上部より炉内に搬入する必要がある。
また、上部格子板の据付調整が作業架台の設置後に必要となり、その調整時にはその上方の作業架台の除去を行わなければならず、工程のロスと２重手間が生じてしまう。
それと共に、従来の工事用作業架台では炉内機器の据付の作業性が悪い欠点がある。
そこで本発明は、上記課題を解決するために次の構成をとる。
【０００４】
【課題を解決するための手段】
請求項１に記載の本発明は、原子炉容器(1) の上蓋取付け用座(2) に周縁が支持され、上面が上部足場(3) として閉塞されると共に、その閉塞面の周縁部に炉内機器挿入用の上部開口(4) が設けられた上部架台(5) と、
その上部架台(5) の下面に下方へ突設された支持材(6) を介して吊持され、その上面が中間部足場(7) として閉塞されると共に、前記上部開口(4) 下方の整合する位置に中間部開口(8) が形成される中間部架台(9) と、
前記上部架台(5) に支持材(6a)を介し上部架台(5) の下面側で且つ、前記中間部架台(9) の上方に位置して上部架台(5) の周縁部に配置された環状のガイドレール(10)と、を具備し、
前記ガイドレール(10)に炉内機器(19)の吊り下ろし機(29)が案内される炉心内工事用作業架台である。
【０００５】
請求項２に記載の本発明は、請求項１において、
炉内の上部格子板(11)に被嵌され、上面が下部足場(12)として閉塞されると共に、その周縁部に下部開口(13)が形成され、且つ、前記ガイドレール(10)下方の整合する位置には、着脱自在な多数の上げ蓋(14)が被着される下部架台(15)を有する炉心内工事用作業架台である。
請求項３に記載の本発明は、請求項２において、
前記上部架台(5) の下面及び／又は中間部架台(9) に前記下部架台(15)及び前記上部格子板(11)を吊り下げる吊り下げピース(21)，(21a) が設けられた炉心内工事用作業架台である。
【０００６】
【実施例】
次に、図面に基づいて本発明の作業架台の実施例につき説明する。
図１は本作業架台の上部架台５及び中間部架台９を示す斜視略図であり、図２はその据付状態を示す立面図、図３は図２の  ＩＩＩ−  ＩＩＩ矢視図、図４は図２のＩＶ−ＩＶ矢視図、図５は図２のＶ−Ｖ矢視図である。また、図６は本発明の下部架台１５の斜視略図であり、図７はその下部架台１５の上げ蓋１４の取付説明図、図８は図７のＶＩＩＩ−ＶＩＩＩ断面図、図９は本作業架台による機器の取付説明図である。
この作業架台は、図１及び図２に示す如く上部架台５と中間部架台９と下部架台１５とを有する。上部架台５はその周縁が原子炉容器１の上蓋取付け用座２に着座される。上部架台５の下面には図示しない多数の補強用リブが配置され、その上面に上部足場３が溶接固定されている。そして上部足場３の周縁部に上部開口４が設けられ、そこに開閉自在な扉２７が観音開き状に設けられている。また、上部足場３上には作業員控室１７，手摺２８，空調機１６が夫々設けられている。
上部架台５の下面には一対の吊り下げピース２１が溶接固定され、そこにチェーンブロック等が係止される。
【０００７】
さらに、上部架台５の下面には多数の支持材６ａが突設され、その下端にボルト等を介してガイドレール１０が着脱自在に締結固定される。また、上部架台５の下面でガイドレール１０よりも中心側に多数の支持材６の上端が締結固定され、その下端に中間部架台９が取り付けられている。中間部架台９の外周は、上部架台５の外周よりも一回り小さな円形に形成され、その両側が切り取られた小判形状をなす。それと共に、上部開口４に整合する位置に中間部開口８が設けられている。そして、上部架台５と中間部架台９との間に昇降用梯子１８が設けられると共に、中間部架台９の下面側にも昇降用梯子１８が着脱自在に取付けられている。なお、中間部架台９は図４に示す如く多数の補強用フレームが縦横に配置され、それらの上面に中間部足場７が溶接固定されている。さらに、中間部架台９の下面には一対の吊り下げピース２１ａが突設固定されている。この吊り下げピース２１ａは上部格子板１１の据付調整の際に下部架台１５を吊り上げるためのものであり、そのとき上部格子板１１は上部架台５の吊り下げピース２１によって吊り上げられる。
【０００８】
次に、下部架台１５は図５〜図８の如く形成されている。即ち、フレームを縦横に形成して外周を円状にすると共に、その上面に円形の下部足場１２を溶接固定する。この下部架台１５の周縁にはフレーム２４が設けられ、その上縁に多数の孔２３が穿設されている。このフレーム２４には上げ蓋１４の段付部が被着され、上げ蓋１４の上端フランジから下方に突設固定されたピン２２がフレーム２４の孔２３に装着され、それが下部足場１２の外周に着脱自在に取り付けられるものである。なお、下部架台１５には一対の下部開口１３が形成される。この下部開口１３は、中間部架台９の中間部開口８に整合する位置に配置される。
【０００９】
【使用方法】
次に、本発明の炉心内工事用作業架台の使用方法につき述べる。
先ず、図２の如く原子炉容器１内の上部格子板１１上に下部架台１５を載置し、次いで中間部架台９を接続した上部架台５の周縁部を原子炉容器１の上蓋取付け用座２に着座させる。これらの下部架台１５，中間部架台９，上部架台５を取付けるには、建屋外部に配設されている図示しないクレーンを利用すればよい。そして、上部架台５上には作業員控室１７及び手摺２８並びに空調機１６を配置する。なお、上部架台５上の上部足場３には、上部開口４の他に空調機用吸排気孔並びにケーブル引回し用の開口等が設けられ、それらを利用して空調設備を設置する。また、作業員控室１７と中間部架台９との間には昇降用梯子１８が設けられると共に、それを連絡する貫通口が内部に設けられている。
【００１０】
また、上部架台５と中間部架台９との間にはガイドレール１０が予め取付けられる。次いで、中間部架台９と下部架台１５との間を作業員が行き来できるように中間部架台９の開口部から昇降用梯子１８を垂下させる。また、昇降用梯子１８の背面には背かご３２が取付けられ、作業員が昇降する際の安全を確保している。なお、支材３３は昇降用梯子１８の揺れ止め用のものである。
以上のようにして作業架台を据付けた後に、各種炉内機器を原子炉容器１内に搬入する。一例として図２に示された炉内機器１９は、リアクタ・インターナルポンプのホンプ頭部のエンペラシャフトである。このエンペラシャフトは、原子炉容器１内の底に開口した機器ケーシング２６内（図９）に挿入されるものである。
【００１１】
そこで、この挿入の手順について述べると、先ず図２の如く原子炉容器１上方の図示しないクレーンで吊り下げられた炉内機器１９を実線の状態から鎖線の状態に移動する。そのためには、図１における上部開口４の扉２７を開放して炉内機器１９を下降すればよい。そしてガイドレール１０上に配置された吊り下ろし機２９に炉内機器１９を移し替える。このとき、作業員は中間部架台９上に立っている。そして吊り下ろし機２９を操作し、炉内機器１９をさらに下降させる。このとき、下部架台１５上外周の上げ蓋１４は全て取り外される。そして下部架台１５の下部開口１３からその下方に炉内機器１９を下す。そして、下部開口１３を通過した後に吊り下ろし機２９をガイドレール１０に沿って移動させる。すると、それに吊り下げられた炉内機器１９は原子炉容器１の内周面に沿って移動し、図４における多数の機器据付位置３０のうち所定位置の上方に吊り下げ状態となる。
【００１２】
そこでさらに炉内機器１９を下降させ、所定の機器据付位置３０の開口にそれを挿入すればよい。このようにして、多数の炉内機器１９を夫々の機器据付位置３０に装着する。
また各種配管や他の機器が炉内に搬入され、所定位置にそれらが取付けられる。その際、上部架台５の上部開口４及び中間部架台９の中間部開口８が利用される。なお配管等の施工時には、下部架台１５の外周に上げ蓋１４が被着され、作業の安全性を確保する。
次に、図２において上部格子板１１の据付調整をする場合には、上部格子板１１外周を上部架台５下面の吊り下げピース２１に係止されたチェーンブロックを介し複数箇所吊り上げる。また、下部架台１５は中間部架台９下面の吊り下げピース２１ａにチェーンブロック等を係止させて、それを吊り上げればよい。そして、上部格子板１１を所定位置に微調整移動し、それを据付ければよい。このときも、下部架台１５外周の上げ蓋１４は全て取り除かれる。そして、下部架台１５の下部開口１３を通過した上部架台５下面の吊り下げピース２１に係止されたチェーンブロックの下端が上部格子板１１に係止されるものである。
【００１３】
【発明の作用・効果】
本発明の炉心内工事用作業架台は、上部架台５の上部開口４と中間部架台９の中間部開口８とが整合され、それらの間にガイドレール１０が配置されているから、原子炉容器１の上方から吊り下げられた炉内取付け用機器を、安全に且つ容易に吊り下ろし機２９に吊り替えられる。そしてその機器をガイドレール１０に沿って移動させ、原子炉容器１の内周に沿って導くことができる。それにより、原子炉容器１の内周部に配置される炉内機器の取付けを容易に行い得る。
また請求項２記載の発明によれば、下部架台１５の外周に位置する多数の上げ蓋１４を取り外すことにより、炉内機器を上部格子板１１の下方に吊り下ろすことが可能となると共に、その作業終了後には上げ蓋１４を被着し安全な足場を確保できる。
さらに請求項３記載の発明によれば、上部架台５の下面又は中間部架台９の下面に下部架台１５及び上部格子板１１を吊り下げる吊り下げピース２１，２１ａが設けられているから、下部架台１５の設置の後に上部格子板１１の据付及び調整が可能となる。それにより、足場取付け作業の作業工程に無駄がなく、迅速な機器の据付作業が可能となる。
【図面の簡単な説明】
【図１】本作業架台の上部架台５及び中間部架台９を示す斜視略図。
【図２】本作業架台の据付状態を示す立面図。
【図３】図２の  ＩＩＩ−  ＩＩＩ矢視図。
【図４】図２のＩＶ−ＩＶ矢視図。
【図５】図２のＶ−Ｖ矢視図。
【図６】下部架台１５の斜視略図。
【図７】下部架台１５の上げ蓋１４の取付説明図。
【図８】図７のＶＩＩＩ−ＶＩＩＩ断面図。
【図９】本作業架台による機器の取付説明図。
【符号の説明】
１  原子炉容器
２  上蓋取付け用座
３  上部足場
４  上部開口
５  上部架台
６，６ａ  支持材
７  中間部足場
８  中間部開口
９  中間部架台
１０  ガイドレール
１１    上部格子板
１２    下部足場
１３    下部開口
１４    上げ蓋
１５    下部架台
１６    空調機
１７    作業員控室
１８    昇降用梯子
１９    炉内機器
２０    ガイドレール軌跡
２１，２１ａ  吊り下げピース
２２  ピン
２３    孔
２４    フレーム
２５    ペデスタル
２６    機器ケーシング
２７    扉
２８    手摺
２９    吊り下ろし機
３０    機器据付位置
３１    チェーン
３２    背かご
３３    支材
【図１】
0003603208.tif 000002
【図２】
0003603208.tif 000003
【図３】
0003603208.tif 000004
【図４】
0003603208.tif 000005
【図５】
0003603208.tif 000006
【図６】
0003603208.tif 000007
【図７】
0003603208.tif 000008
【図８】
0003603208.tif 000009
【図９】
0003603208.tif 000010